(57)【要約】【課題】プラントの運転状態を正確かつ迅速に予測すること。【解決手段】実プラント110の運転状態データD1を取得して実プラントの運転状態に合わせた仮想プラント210を作成する仮想プラント作成手段12と、実プラントの様々な運転状態を想定した仮想プラントの基準データD2が予め記憶された基準データ記憶手段14と、実プラントの運転状態を監視し、実プラントの運転状態データを仮想プラント作成手段に送る一方、実プラントの運転状態が変化した場合に当該変化に対応した基準データを基準データ記憶手段から取得し仮想プラント作成手段に送る運転状態監視手段11と、仮想プラント作成手段で作成した仮想プラントについて運転状態を任意の速度で加速させて任意の時間後の運転状態を予測した予測仮想プラント210’を作成する運転状態予測手段13と、実プラントの運転状態および予測仮想プラントの運転状態を表示する運転状態表示手段15とを備える。【選択図】図２
2014106651.tif 000002
【特許請求の範囲】
【請求項１】
実プラントの運転状態データを取得して前記実プラントの運転状態に合わせた仮想プラントを作成する仮想プラント作成手段と、
前記実プラントの様々な運転状態を想定した仮想プラントの基準データが予め記憶された基準データ記憶手段と、
前記実プラントの運転状態を監視し、前記実プラントの運転状態データを前記仮想プラント作成手段に送る一方、前記実プラントの運転状態が変化した場合に当該変化に対応した基準データを前記基準データ記憶手段から取得し前記仮想プラント作成手段に送る運転状態監視手段と、
前記仮想プラント作成手段で作成した前記仮想プラントについて運転状態を任意の速度で加速させて任意の時間後の運転状態を予測した予測仮想プラントを作成する運転状態予測手段と、
前記実プラントの運転状態および前記予測仮想プラントの運転状態を表示する運転状態表示手段と、
を備えることを特徴とするプラント運転支援装置。
【請求項２】
前記実プラントの運転状態を診断する一方、前記予測仮想プラントの運転状態を診断する運転状態診断手段と、
前記実プラントの診断結果および前記予測仮想プラントの診断結果を表示する診断結果表示手段と、
をさらに備えることを特徴とする請求項１に記載のプラント運転支援装置。
【請求項３】
前記実プラントの診断結果に対応する運転手順を設定する一方、前記予測仮想プラントの診断結果に対応する運転手順を設定する運転手順設定手段と、
前記実プラントの運転手順および前記予測仮想プラントの運転手順を表示する運転手順表示手段と、
をさらに備えることを特徴とする請求項２に記載のプラント運転支援装置。
【請求項４】
前記実プラントの運転操作が前記運転手順に則しているかを確認する操作確認手段と、
運転操作の確認結果を表示する確認結果表示手段と、
をさらに備えることを特徴とする請求項３に記載のプラント運転支援装置。
【請求項５】
実プラントの運転状態データを取得して前記実プラントの運転状態に合わせた仮想プラントを作成する仮想プラント作成工程と、
前記実プラントの運転状態を監視し、前記実プラントの運転状態データを前記仮想プラント作成工程に供する一方、前記実プラントの運転状態が変化した場合に当該変化に対応する態様で予め作成された基準データを前記仮想プラント作成工程に供する運転状態監視工程と、
前記仮想プラント作成工程で作成した前記仮想プラントについて運転状態を任意の速度で加速させて任意の時間後の運転状態を予測した予測仮想プラントを作成する運転状態予測工程と、
前記実プラントの運転状態および前記予測仮想プラントの運転状態を表示する運転状態表示工程と、
を含むことを特徴とするプラント運転支援方法。
【請求項６】
前記実プラントの運転状態を診断する一方、前記予測仮想プラントの運転状態を診断する運転状態診断工程と、
前記実プラントの診断結果および前記予測仮想プラントの診断結果を表示する診断結果表示工程と、
をさらに含むことを特徴とする請求項５に記載のプラント運転支援方法。
【請求項７】
前記実プラントの診断結果に対応する運転手順を設定する一方、前記予測仮想プラントの診断結果に対応する運転手順を設定する運転手順設定工程と、
前記実プラントの運転手順および前記予測仮想プラントの運転手順を表示する運転手順表示工程と、
をさらに含むことを特徴とする請求項６に記載のプラント運転支援方法。
【請求項８】
前記実プラントの運転操作が前記運転手順に則しているかを確認する操作確認工程と、
運転操作の確認結果を表示する確認結果表示工程と、
をさらに含むことを特徴とする請求項７に記載のプラント運転支援方法。
【発明の詳細な説明】
【技術分野】
【０００１】
本発明は、原子力発電プラントなどのプラントにおいてその運転支援を行うプラント運転支援装置およびプラント運転支援方法に関する。
【背景技術】
【０００２】
例えば、特許文献１では、プラントのプラントデータのうちのパラメータデータを保存し、このパラメータデータに基づいてパラメータデータの変化予測を表示することが示されている。パラメータデータの変化予測は、過去の類似事象に基づく評価である。そして、パラメータデータの変化に対応する適切な対応措置およびその適切なタイミングを、保存されたパラメータデータに基いて生成し、この適切な対応措置を適切なタイミングで行なった場合のパラメータデータの変化を予測した第１の事象予測データ、および対応措置が遅れた場合のパラメータデータの変化を予測した第２の事象予測データを生成し、第１の事象予測データおよび第２の事象予測データを同一グラフ上に重ねて表示する。
【先行技術文献】
【特許文献】
【０００３】
【特許文献１】特許第４６０７７０２号公報
【発明の概要】
【発明が解決しようとする課題】
【０００４】
特許文献１では、パラメータデータの変化予測を過去の類似事象に基づく評価としているが、パラメータデータの変化予測が実際の事象と異なる点も存在する場合がある。このような場合の対応処置は、あくまでも類似事象に基づくものであって、現事象における対応処置とは異なる。特に、プラントが異常兆候にある場合は、迅速な予測が必要である。このように、現事象に適切な対応処置を行うため、正確かつ迅速な予測が望まれている。
【０００５】
本発明は上述した課題を解決するものであり、プラントの運転状態を正確かつ迅速に予測することのできるプラント運転支援装置およびプラント運転支援方法を提供することを目的とする。
【課題を解決するための手段】
【０００６】
上述の目的を達成するために、第１の発明のプラント運転支援装置は、実プラントの運転状態データを取得して前記実プラントの運転状態に合わせた仮想プラントを作成する仮想プラント作成手段と、前記実プラントの様々な運転状態を想定した仮想プラントの基準データが予め記憶された基準データ記憶手段と、前記実プラントの運転状態を監視し、前記実プラントの運転状態データを前記仮想プラント作成手段に送る一方、前記実プラントの運転状態が変化した場合に当該変化に対応した基準データを前記基準データ記憶手段から取得し前記仮想プラント作成手段に送る運転状態監視手段と、前記仮想プラント作成手段で作成した前記仮想プラントについて運転状態を任意の速度で加速させて任意の時間後の運転状態を予測した予測仮想プラントを作成する運転状態予測手段と、前記実プラントの運転状態および前記予測仮想プラントの運転状態を表示する運転状態表示手段と、を備えることを特徴とする。
【０００７】
このプラント運転支援装置によれば、実プラントの運転状態および予測仮想プラントの運転状態を運転状態表示部に表示することで、実プラントの任意の時間後の運転状態を現在と比較することができる。特に、運転状態データが警報データを含む場合など実プラントの運転状態が急変した場合、実プラントの運転状態に合わせ込んだ基準データを用いて即座に仮想プラントおよび予測仮想プラントを作成することで、実プラントの運転状態の変化に対応して正確かつ迅速な予測を行うことができる。
【０００８】
また、第２の発明のプラント運転支援装置は、第１の発明において、前記実プラントの運転状態を診断する一方、前記予測仮想プラントの運転状態を診断する運転状態診断手段と、前記実プラントの診断結果および前記予測仮想プラントの診断結果を表示する診断結果表示手段と、をさらに備えることを特徴とする。
【０００９】
このプラント運転支援装置によれば、実プラントの運転状態の診断とともに、プラント運転状態予測機能において実プラントの運転状態の変化に対応して正確かつ迅速な予測をした予測仮想プラントの運転状態を診断するため、予測に応じた双方の診断結果の比較を正確かつ迅速に行うことができる。
【００１０】
また、第３の発明のプラント運転支援装置は、第２の発明において、前記実プラントの診断結果に対応する運転手順を設定する一方、前記予測仮想プラントの診断結果に対応する運転手順を設定する運転手順設定手段と、前記実プラントの運転手順および前記予測仮想プラントの運転手順を表示する運転手順表示手段と、をさらに備えることを特徴とする。
【００１１】
このプラント運転支援装置によれば、実プラントの運転手順の設定とともに、プラント運転状態予測機能において実プラントの運転状態の変化に対応して正確かつ迅速な予測をした予測仮想プラントの運転手順を設定するため、予測に応じた運転手順の設定を正確かつ迅速に行うことができる。
【００１２】
また、第４の発明のプラント運転支援装置は、第３の発明において、前記実プラントの運転操作が前記運転手順に則しているかを確認する操作確認手段と、運転操作の確認結果を表示する確認結果表示手段と、をさらに備えることを特徴とする。
【００１３】
このプラント運転支援装置によれば、実プラントの運転手順が正確であるか否かを確認することができる。
【００１４】
上述の目的を達成するために、第５の発明のプラント運転支援方法は、実プラントの運転状態データを取得して前記実プラントの運転状態に合わせた仮想プラントを作成する仮想プラント作成工程と、前記実プラントの運転状態を監視し、前記実プラントの運転状態データを前記仮想プラント作成工程に供する一方、前記実プラントの運転状態が変化した場合に当該変化に対応する態様で予め作成された基準データを前記仮想プラント作成工程に供する運転状態監視工程と、前記仮想プラント作成工程で作成した前記仮想プラントについて運転状態を任意の速度で加速させて任意の時間後の運転状態を予測した予測仮想プラントを作成する運転状態予測工程と、前記実プラントの運転状態および前記予測仮想プラントの運転状態を表示する運転状態表示工程と、を含むことを特徴とする。
【００１５】
このプラント運転支援方法によれば、実プラントの運転状態および予測仮想プラントの運転状態を運転状態表示部に表示することで、実プラントの任意の時間後の運転状態を現在と比較することができる。特に、運転状態データが警報データを含む場合など実プラントの運転状態が急変した場合、実プラントの運転状態に合わせ込んだ基準データを用いて即座に仮想プラントおよび予測仮想プラントを作成することで、実プラントの運転状態の変化に対応して正確かつ迅速な予測を行うことができる。
【００１６】
また、第６の発明のプラント運転支援方法は、第５の発明において、前記実プラントの運転状態を診断する一方、前記予測仮想プラントの運転状態を診断する運転状態診断工程と、前記実プラントの診断結果および前記予測仮想プラントの診断結果を表示する診断結果表示工程と、をさらに含むことを特徴とする。
【００１７】
このプラント運転支援方法によれば、実プラントの運転状態の診断とともに、プラント運転状態予測機能において実プラントの運転状態の変化に対応して正確かつ迅速な予測をした予測仮想プラントの運転状態を診断するため、予測に応じた双方の診断結果の比較を正確かつ迅速に行うことができる。
【００１８】
また、第７の発明のプラント運転支援方法は、第６の発明において、前記実プラントの診断結果に対応する運転手順を設定する一方、前記予測仮想プラントの診断結果に対応する運転手順を設定する運転手順設定工程と、前記実プラントの運転手順および前記予測仮想プラントの運転手順を表示する運転手順表示工程と、をさらに含むことを特徴とする。
【００１９】
このプラント運転支援方法によれば、実プラントの運転手順の設定とともに、プラント運転状態予測機能において実プラントの運転状態の変化に対応して正確かつ迅速な予測をした予測仮想プラントの運転手順を設定するため、予測に応じた運転手順の設定を正確かつ迅速に行うことができる。
【００２０】
また、第８の発明のプラント運転支援方法は、第７の発明において、前記実プラントの運転操作が前記運転手順に則しているかを確認する操作確認工程と、運転操作の確認結果を表示する確認結果表示工程と、をさらに含むことを特徴とする。
【００２１】
このプラント運転支援方法によれば、実プラントの運転手順が正確であるか否かを確認することができる。
【発明の効果】
【００２２】
本発明によれば、プラントの運転状態を正確かつ迅速に予測することができる。
【図面の簡単な説明】
【００２３】
【図１】図１は、本発明の実施形態に係るプラント運転支援装置が適用されるプラントの概略構成図である。
【図２】図２は、本発明の実施形態に係るプラント運転支援装置の構成図である。
【図３】図３は、本発明の実施形態に係るプラント運転支援装置の処理手順を示すフローチャートである。
【図４】図４は、本発明の実施形態に係るプラント運転支援装置の処理手順を示すフローチャートである。
【図５】図５は、本発明の実施形態に係るプラント運転支援装置の処理手順を示すフローチャートである。
【図６】図６は、本発明の実施形態に係るプラント運転支援装置の処理手順を示すフローチャートである。
【図７】図７は、本発明の実施形態に係るプラント運転支援装置の処理手順を示すフローチャートである。
【図８】図８は、本発明の実施形態に係るプラント運転支援装置の処理手順を示すフローチャートである。
【発明を実施するための形態】
【００２４】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００２５】
図１は、本発明の実施形態に係るプラント運転支援装置が適用されるプラントの概略構成図である。本実施形態のプラント運転支援装置１は、例えば、原子力発電プラント（プラント）１１０において適用される。
【００２６】
本実施形態において、原子力発電プラント１１０は、例えば、加圧水型原子炉（ＰＷＲ：Pressurized  Water  Reactor）１１２が適用される。加圧水型原子炉１１２は、軽水を原子炉冷却材および中性子減速材として使用し、一次系全体にわたって沸騰しない高温高圧水とし、この高温高圧水を蒸気発生器に送って熱交換により蒸気を発生させ、この蒸気をタービン発電機へ送って発電する。
【００２７】
この加圧水型原子炉１１２を有する原子力発電プラント１１０において、原子炉格納容器１１１の内部に、加圧水型原子炉１１２および蒸気発生器１１３が格納されている。加圧水型原子炉１１２と蒸気発生器１１３とは、冷却水配管１１４，１１５を介して連結されている。冷却水配管１１４は、加圧器１１６が設けられ、冷却水配管１１５は、冷却水ポンプ１１７が設けられている。この場合、減速材および一次冷却水として軽水を用い、炉心部における一次冷却水の沸騰を抑制するために、一次冷却系統は加圧器１１６により１６０気圧程度の高圧状態を維持するように制御している。従って、加圧水型原子炉１１２にて、燃料として低濃縮ウランまたはＭＯＸにより一次冷却水としての軽水が加熱され、高温の一次冷却水が加圧器１１６により所定の高圧に維持された状態で冷却水配管１１４を通して蒸気発生器１１３に送られる。この蒸気発生器１１３では、高圧高温の一次冷却水と二次冷却水との間で熱交換が行われ、冷やされた一次冷却水は冷却水配管１１５を通して加圧水型原子炉１１２に戻される。
【００２８】
蒸気発生器１１３は、原子炉格納容器１１１の外部に設けられたタービン１１８および復水器１１９と冷却水配管１２０，１２１を介して連結されており、冷却水配管１２１に給水ポンプ１２２が設けられている。また、タービン１１８は、発電機１２３が接続され、復水器１１９は、冷却水（例えば、海水）を給排する取水管１２４および排水管１２５が連結されている。従って、蒸気発生器１１３にて、高圧高温の一次冷却水と熱交換を行って生成された蒸気は、冷却水配管１２０を通してタービン１１８に送られ、この蒸気によりタービン１１８を駆動して発電機１２３により発電を行う。タービン１１８を駆動した蒸気は、復水器１１９で冷却された後、冷却水配管１２１を通して蒸気発生器１１３に戻される。
【００２９】
また、原子力発電プラント１１０は、中央制御装置１００を備える。中央制御装置１００は、汎用コンピュータあるいは専用コンピュータであり、ＣＰＵ（Central  Processing  Unit）、ＲＯＭ（Read  Only  Memory）、ＲＡＭ（Random  Access  Memory）などで構成される。中央制御装置１００は、原子力発電プラント１１０を監視および制御するためのもので、原子力発電プラント１１０の状態量を取得する各種センサ（図示省略）からの運転状態データＤ１に基づいて、原子力発電プラント１１０を運転するための弁やポンプなどの各種機器の作動を制御する。具体的に、中央制御装置１００は、原子力発電プラント１１０の各種センサからの運転状態データＤ１に基づいた処理を実行する。運転状態データＤ１とは、例えば、原子炉１１２の水位、圧力、流量などのパラメータを示すパラメータデータや、各系統の状態や各機器の状態を示す機器データや、異常発生時における警報データなどがある。中央制御装置１００は、運転状態データＤ１に基づいて原子力発電プラント１１０の各種機器を制御する。これにより、原子力発電プラント１１０が制御されて、原子炉１１２の核反応を停止させる、原子力発電プラント１１０を冷却する、原子力発電プラント１１０からの放射性物質の漏洩を防ぐなどの機能が実現される。
【００３０】
本実施形態のプラント運転支援装置１は、この中央制御装置１００に組み込まれている。図２は、本実施形態に係るプラント運転支援装置の構成図である。
【００３１】
プラント運転支援装置１は、プラント運転状態予測機能、プラント運転状態診断機能、プラント運転手順提示機能、および操作確認機能を有する。
【００３２】
［プラント運転状態予測機能］
プラント運転状態予測機能は、図２に示すように、運転状態監視手段１１、仮想プラント作成手段１２、運転状態予測手段１３、基準データ記憶手段１４、および運転状態表示手段１５を備える。
【００３３】
運転状態監視手段１１は、原子力発電プラント１１０の運転状態を監視するものである。ここで、原子力発電プラント１１０を実際に運転される実プラントとする。運転状態監視手段１１は、実プラント１１０の運転状態データＤ１を取得し、これを解析する。
【００３４】
仮想プラント作成手段１２は、実プラント１１０の運転状態に合わせた仮想プラント２１０を作成する。仮想プラント作成手段１２は、いわゆるシミュレーション装置であり、運転状態監視手段１１から実プラント１１０の運転状態データＤ１を取得し、実プラント１１０をシミュレートする。仮想プラント作成手段１２は、運転状態監視手段１１が取得した実プラント１１０の運転状態データＤ１を所定周期で読み込み、仮想プラント２１０に反映させる。これにより、実プラント１１０の運転状態と仮想プラント２１０の運転状態（計算値）との合わせ込みを行う。なお、運転状態データＤ１が警報データを含む場合、運転状態監視手段１１は運転状態データＤ１を即座に取得し、仮想プラント作成手段１２はこの運転状態データＤ１を即座に読み込む。
【００３５】
運転状態予測手段１３は、仮想プラント作成手段１２で作成された仮想プラント２１０について、運転状態計算を任意の速度で加速させ、任意の時間後の運転状態を計算させることで、任意の時間後の運転状態を予測した予測仮想プラント２１０’を作成する。
【００３６】
基準データ記憶手段１４は、実プラント１１０の様々な運転状態を想定した仮想プラント２１０を作成するための基準データＤ２が予め記憶されたデータベースである。実プラント１１０の様々な運転状態は、例えば、１００％定格運転状態や、起動時運転状態や、自動停止直後の状態がある。また、基準データＤ２は、これら実プラント１１０の運転状態に合わせ込んで予め作成されたもので、実プラント１１０の実際の運転状態に則したものである。
【００３７】
そして、運転状態監視手段１１では、実プラント１１０の運転状態から、当該運転状態に合った基準データＤ２を基準データ記憶手段１４から取得し、仮想プラント作成手段１２に送る。仮想プラント作成手段１２では、送られた基準データＤ２に基づく仮想プラント２１０を作成する。
【００３８】
運転状態表示手段１５は、実プラント１１０の運転状態および予測仮想プラント２１０’の運転状態を表示させるものである。実プラント１１０の運転状態は、運転状態監視手段１１から入力する。また、予測仮想プラント２１０’の運転状態は、運転状態予測手段１３から入力する。実プラント１１０の運転状態および予測仮想プラント２１０’の運転状態の表示は、例えば、中央制御装置１００を備える中央制御室（図示せず）に設置された大型表示盤１０１において、運転状態表示部１６に表示される。運転状態表示手段１５は、オペレータの操作に応じ、運転状態表示部１６に対して実プラント１１０の運転状態または予測仮想プラント２１０’の運転状態の一方を切り換えて表示させたり、双方を合わせて表示させたりする。
【００３９】
図３は、本実施形態に係るプラント運転支援装置の処理手順を示すフローチャートである。図３は、プラント運転支援装置１におけるプラント運転状態予測機能の処理手順を示す。
【００４０】
図３に示すように、まず、運転状態監視手段１１が取得した実プラント１１０の運転状態データＤ１を仮想プラント作成手段１２に送り、仮想プラント作成手段１２において仮想プラント２１０を作成する（ステップＳ１１）。
【００４１】
次に、運転状態監視手段１１が取得した実プラント１１０の運転状態データＤ１を、所定周期で仮想プラント作成手段１２に送り、仮想プラント作成手段１２において仮想プラント２１０の運転状態（計算値）と同期させて合わせ込みを行う（ステップＳ１２）。
【００４２】
次に、運転状態監視手段１１が取得した実プラント１１０の運転状態データＤ１（運転状態）が以前と変化していた場合（ステップＳ１３：Ｙｅｓ）、ステップＳ１４に進む。一方、運転状態監視手段１１が取得した実プラント１１０の運転状態データＤ１が以前と変化していなければ（ステップＳ１３：Ｎｏ）、ステップＳ１６に進む。
【００４３】
ステップＳ１４において、仮想プラント作成手段１２において仮想プラント２１０を再作成するかを判断する。そして、仮想プラント２１０を再作成する場合（ステップＳ１４：Ｙｅｓ）、特に、運転状態データＤ１が警報データを含む場合、運転状態監視手段１１は基準データ記憶手段１４から基準データＤ２を読み込み仮想プラント作成手段１２に送り、仮想プラント作成手段１２において仮想プラント２１０を再作成する（ステップＳ１５）。一方、運転状態データＤ１が警報データを含まない場合など、実プラント１１０が異常運転状態でない場合は、仮想プラント２１０を再作成しないと判断し（ステップＳ１４：Ｎｏ）、ステップＳ１２に戻る。
【００４４】
次に、最新の仮想プラント２１０の運転状態から、運転状態予測手段１３において運転状態計算を任意の速度で加速させ、仮想プラント作成手段１２において予測仮想プラント２１０’を作成する（ステップＳ１６）。予測仮想プラント２１０’の運転状態は、運転状態予測手段１３に送られる。
【００４５】
最後に、運転状態表示手段１５により、運転状態監視手段１１から実プラント１１０の運転状態を取得するとともに、運転状態予測手段１３から予測仮想プラント２１０’の運転状態を取得し、これらの運転状態を運転状態表示部１６に表示する（ステップＳ１７）。
【００４６】
このように、プラント運転状態予測機能において、本実施形態のプラント運転支援装置１は、実プラント１１０の運転状態データＤ１を取得して実プラント１１０の運転状態に合わせた仮想プラント２１０を作成する仮想プラント作成手段１２と、実プラント１１０の様々な運転状態を想定した仮想プラント２１０の基準データＤ２が予め記憶された基準データ記憶手段１４と、実プラント１１０の運転状態を監視し、実プラント１１０の運転状態データＤ１を仮想プラント作成手段１２に送る一方、実プラント１１０の運転状態が変化した場合に当該変化に対応した基準データＤ２を基準データ記憶手段１４から取得し仮想プラント作成手段１２に送る運転状態監視手段１１と、仮想プラント作成手段１２で作成した仮想プラント２１０について運転状態を任意の速度で加速させて任意の時間後の運転状態を予測した予測仮想プラント２１０’を作成する運転状態予測手段１３と、実プラント１１０の運転状態および予測仮想プラント２１０’の運転状態を表示する運転状態表示手段１５と、を備える。
【００４７】
また、プラント運転状態予測機能において、本実施形態のプラント運転支援方法は、実プラント１１０の運転状態データＤ１を取得して実プラント１１０の運転状態に合わせた仮想プラント２１０を作成する仮想プラント作成工程と、実プラント１１０の運転状態を監視し、実プラント１１０の運転状態データを仮想プラント作成工程に供する一方、実プラント１１０の運転状態が変化した場合に当該変化に対応する態様で予め作成された基準データＤ２を仮想プラント作成工程に供する運転状態監視工程と、仮想プラント作成工程で作成した仮想プラント２１０について運転状態を任意の速度で加速させて任意の時間後の運転状態を予測した予測仮想プラント２１０’を作成する運転状態予測工程と、実プラント１１０の運転状態および予測仮想プラント２１０’の運転状態を表示する運転状態表示工程と、を含む。
【００４８】
これらによれば、実プラント１１０の運転状態および予測仮想プラント２１０’の運転状態を運転状態表示部１６に表示することで、実プラント１１０の任意の時間後の運転状態を現在と比較することが可能である。特に、運転状態データＤ１が警報データを含む場合など実プラント１１０の運転状態が急変した場合、実プラント１１０の運転状態に合わせ込んだ基準データＤ２を用いて即座に仮想プラント２１０および予測仮想プラント２１０’を作成することで、実プラント１１０の運転状態の変化に対応して正確かつ迅速な予測を行うことが可能になる。
【００４９】
なお、実プラント１１０の運転状態データＤ１は、定周期で取得して同期しているが、実プラント１１０の運転状態が急変した場合、この運転状態データＤ１の読み込みを待たず、基準データＤ２を用いて予測仮想プラント２１０’を作成することができるため、より迅速な予測を行うことが可能である。また、基準データＤ２を用いて予測仮想プラント２１０’を作成した後、割り込みで実プラント１１０の運転状態データＤ１を取得して同期を行うことで、さらに正確な予測を行うことが可能になる。
【００５０】
［プラント運転状態診断機能］
プラント運転状態診断機能は、図２に示すように、運転状態診断手段２１、診断データ記憶手段２２、および診断結果表示手段２３を備える。
【００５１】
運転状態診断手段２１は、実プラント１１０の運転状態を診断する一方、予測仮想プラント２１０’の運転状態を診断する。実プラント１１０の運転状態は、運転状態データＤ１を取得し、当該運転状態データＤ１に基づき診断を行う。予測仮想プラント２１０’の運転状態は、運転状態予測手段１３から取得し、これに基づき診断を行う。
【００５２】
診断データ記憶手段２２は、実プラント１１０や予測仮想プラント２１０’の運転状態に合わせた診断データＤ３が予め記憶されたデータベースである。診断データＤ３は、例えば、原子炉１１２の水位、圧力、流量などのパラメータを示すパラメータ診断データや、各系統の状態や各機器の状態を示す機器診断データや、異常発生時における警報診断データなど、運転状態データＤ１と同等のデータを診断するためのデータを含む。この診断データＤ３は、運転状態診断手段２１による診断において読み取られる。
【００５３】
診断結果表示手段２３は、実プラント１１０の運転状態の診断結果、および予測仮想プラント２１０’の運転状態の診断結果を表示させるものである。実プラント１１０の運転状態の診断結果、および予測仮想プラント２１０’の運転状態の診断結果は、運転状態診断手段２１から入力する。実プラント１１０の運転状態の診断結果および予測仮想プラント２１０’の運転状態の診断結果の表示は、例えば、中央制御装置１００を備える中央制御室（図示せず）に設置された大型表示盤１０１において、診断結果表示部２４に表示される。診断結果表示手段２３は、オペレータの操作に応じ、診断結果表示部２４に対して実プラント１１０の運転状態の診断結果または予測仮想プラント２１０’の運転状態の診断結果の一方を切り換えて表示させたり、双方を合わせて表示させたりする。
【００５４】
図４および図５は、本実施形態に係るプラント運転支援装置の処理手順を示すフローチャートである。図４は、プラント運転支援装置１におけるプラント運転状態診断機能の実プラント１１０の運転状態の診断の処理手順を示す。また、図５は、プラント運転支援装置１におけるプラント運転状態診断機能の予測仮想プラント２１０’の運転状態の診断の処理手順を示す。
【００５５】
実プラント１１０の運転状態の診断は、図４に示すように、まず、運転状態診断手段２１により実プラント１１０の運転状態を診断する（ステップＳ２１）。具体的には、実プラント１１０の運転状態データＤ１を運転状態診断手段２１に送る。運転状態診断手段２１では、運転状態データＤ１に従って診断データＤ３を診断データ記憶手段２２から読み込み、各データＤ１，Ｄ３を比較する。
【００５６】
次に、運転状態診断手段２１により実プラント１１０の運転状態を診断した診断結果が異常診断結果であった場合（ステップＳ２２：Ｙｅｓ）、異常診断結果を報知する（ステップＳ２３）。異常診断結果の報知は、診断結果表示手段２３により診断結果表示部２４に表示するだけでもよいが（ステップＳ２４）、図には明示しないブザーや音声メッセージで行ってもよい。なお、異常診断結果とは、ここでは各データＤ１，Ｄ３に相違があった場合である。
【００５７】
一方、運転状態診断手段２１により実プラント１１０の運転状態を診断した診断結果が異常診断結果でない場合（ステップＳ２２：Ｎｏ）、診断結果表示手段２３により診断結果表示部２４に診断結果を表示する（ステップＳ２４）。
【００５８】
また、予測仮想プラント２１０’の運転状態の診断は、図５に示すように、まず、運転状態診断手段２１により予測仮想プラント２１０’の運転状態を診断する（ステップＳ２５）。具体的には、予測仮想プラント２１０’の運転状態を運転状態予測手段１３から取得し、運転状態診断手段２１に送る。運転状態診断手段２１では、運転状態に従って診断データＤ３を診断データ記憶手段２２から読み込み、これらを比較する。
【００５９】
次に、運転状態診断手段２１により予測仮想プラント２１０’の運転状態を診断した診断結果が異常診断結果であった場合（ステップＳ２６：Ｙｅｓ）、異常診断結果を報知する（ステップＳ２７）。異常診断結果の報知は、診断結果表示手段２３により診断結果表示部２４に表示することでもよいが（ステップＳ２８）、図には明示しないブザーや音声メッセージで行ってもよい。なお、異常診断結果とは、ここでは各データＤ１，Ｄ３に相違があった場合である。
【００６０】
一方、運転状態診断手段２１により予測仮想プラント２１０’の運転状態を診断した診断結果が異常診断結果でない場合（ステップＳ２６：Ｎｏ）、診断結果表示手段２３により診断結果表示部２４に診断結果を表示する（ステップＳ２８）。
【００６１】
このように、プラント運転状態診断機能において、本実施形態のプラント運転支援装置１は、実プラント１１０の運転状態を診断する一方、予測仮想プラント２１０’の運転状態を診断する運転状態診断手段２１と、実プラント１１０の診断結果および予測仮想プラント２１０’の診断結果を表示する診断結果表示手段２３と、を備える。
【００６２】
また、プラント運転状態診断機能において、本実施形態のプラント運転支援方法は、実プラント１１０の運転状態を診断する一方、予測仮想プラント２１０’の運転状態を診断する運転状態診断工程と、実プラント１１０の診断結果および予測仮想プラント２１０’の診断結果を表示する診断結果表示工程と、を含む。
【００６３】
これらによれば、実プラント１１０の運転状態の診断とともに、プラント運転状態予測機能において実プラント１１０の運転状態の変化に対応して正確かつ迅速な予測をした予測仮想プラント２１０’の運転状態を診断するため、予測に応じた双方の診断結果の比較を正確かつ迅速に行うことが可能になる。
【００６４】
［プラント運転手順提示機能］
プラント運転手順提示機能は、図２に示すように、運転手順設定手段３１、運転手順データ記憶手段３２、および運転手順表示手段３３を備える。
【００６５】
運転手順設定手段３１は、上述したプラント運転状態診断機能での診断結果に対応し、実プラント１１０の運転手順を設定する一方、予測仮想プラント２１０’の運転手順を設定するする。実プラント１１０の運転手順は、運転状態診断手段２１からの診断結果を取得し、当該診断結果に基づき設定する。予測仮想プラント２１０’の運転手順は、運転状態診断手段２１からの診断結果を取得し、当該診断結果に基づき設定する。
【００６６】
運転手順データ記憶手段３２は、実プラント１１０や予測仮想プラント２１０’の運転状態の診断結果に合わせた運転手順データＤ４が予め記憶されたデータベースである。運転手順データＤ４は、例えば、原子炉１１２の水位、圧力、流量などのパラメータを示すパラメータ診断データや、各系統の状態や各機器の状態を示す機器診断データや、異常発生時における警報診断データなどの変化に対応した運転手順を含む。この運転手順データＤ４は、運転手順設定手段３１による設定において読み取られる。
【００６７】
運転手順表示手段３３は、実プラント１１０や予測仮想プラント２１０’について設定された運転手順を表示させるものである。実プラント１１０や予測仮想プラント２１０’の運転手順は、運転手順設定手段３１から入力する。実プラント１１０や予測仮想プラント２１０’の運転手順の表示は、例えば、中央制御装置１００を備える中央制御室（図示せず）に設置された大型表示盤１０１において、運転手順表示部３４に表示される。運転手順表示手段３３は、オペレータの操作に応じ、運転手順表示部３４に対して実プラント１１０の運転手順または予測仮想プラント２１０’の運転手順の一方を切り換えて表示させたり、双方を合わせて表示させたりする。
【００６８】
図６および図７は、本実施形態に係るプラント運転支援装置の処理手順を示すフローチャートである。図６は、プラント運転支援装置１におけるプラント運転手順提示機能の実プラント１１０の運転手順の設定の処理手順を示す。また、図７は、プラント運転支援装置１におけるプラント運転手順提示機能の予測仮想プラント２１０’の運転手順の設定の処理手順を示す。
【００６９】
実プラント１１０の運転手順の設定は、図６に示すように、まず、運転手順設定手段３１により実プラント１１０の運転手順を設定する（ステップＳ３１）。具体的には、運転状態診断手段２１で診断された実プラント１１０の運転状態を運転手順設定手段３１に送る。運転手順設定手段３１では、この運転状態に従って運転手順データＤ４を運転手順データ記憶手段３２から読み込み、この運転手順データＤ４に基づき運転手順を設定する。
【００７０】
次に、運転手順設定手段３１により設定した実プラント１１０の運転手順を、運転手順表示手段３３により運転手順表示部３４に表示する（ステップＳ３２）。
【００７１】
また、予測仮想プラント２１０’の運転手順の設定は、図７に示すように、まず、運転手順設定手段３１により予測仮想プラント２１０’の運転手順を設定する（ステップＳ３３）。具体的には、運転状態診断手段２１で診断された予測仮想プラント２１０’の運転状態を運転手順設定手段３１に送る。運転手順設定手段３１では、この運転状態に従って運転手順データＤ４を運転手順データ記憶手段３２から読み込み、この運転手順データＤ４に基づき運転手順を設定する。
【００７２】
次に、運転手順設定手段３１により設定した予測仮想プラント２１０’の運転手順を、運転手順表示手段３３により運転手順表示部３４に表示する（ステップＳ３３）。
【００７３】
このように、プラント運転手順提示機能において、本実施形態のプラント運転支援装置１は、実プラント１１０の診断結果に対応する運転手順を設定する一方、予測仮想プラント２１０’の診断結果に対応する運転手順を設定する運転手順設定手段３１と、実プラント１１０の運転手順および予測仮想プラント２１０’の運転手順を表示する運転手順表示手段３３と、を備える。
【００７４】
また、プラント運転手順提示機能において、本実施形態のプラント運転支援方法は、実プラント１１０の診断結果に対応する運転手順を設定する一方、予測仮想プラント２１０’の診断結果に対応する運転手順を設定する運転手順設定工程と、実プラント１１０の運転手順および予測仮想プラント２１０’の運転手順を表示する運転手順表示工程と、を含む。
【００７５】
これらによれば、実プラント１１０の運転手順の設定とともに、プラント運転状態予測機能において実プラント１１０の運転状態の変化に対応して正確かつ迅速な予測をした予測仮想プラント２１０’の運転手順を設定するため、予測に応じた運転手順の設定を正確かつ迅速に行うことが可能になる。
【００７６】
［操作確認機能］
操作確認機能は、図２に示すように、操作確認手段４１および確認結果表示手段４２を備える。
【００７７】
操作確認手段４１は、上述したプラント運転手順提示機能での運転手順の設定に対応し、実プラント１１０の運転操作が運転手順に則しているかを確認する。実プラント１１０の運転操作の確認は、運転状態データＤ１を取得するとともに、運転手順設定手段３１から設定した運転手順を取得し、これらを比較することで確認を行う。
【００７８】
操作確認手段４１は、実プラント１１０の運転操作の確認結果を表示させるものである。実プラント１１０の運転操作の確認結果は、操作確認手段４１から入力する。実プラント１１０の運転操作の確認結果の表示は、例えば、中央制御装置１００を備える中央制御室（図示せず）に設置された大型表示盤１０１において、確認結果表示部４３に表示される。
【００７９】
図８は、本実施形態に係るプラント運転支援装置の処理手順を示すフローチャートである。図８は、プラント運転支援装置１における操作確認機能の実プラント１１０の運転操作の確認の処理手順を示す。
【００８０】
実プラント１１０の運転操作の確認は、図８に示すように、まず、操作確認手段４１により運転手順に基づく運転操作の確認を行う（ステップＳ４１）。具体的には、運転手順に基づく運転操作がなされた後、実プラント１１０の運転状態データＤ１を操作確認手段４１に送るとともに、運転手順設定手段３１から設定した運転手順を送り、双方を比較する。
【００８１】
次に、操作確認手段４１により実プラント１１０の運転操作を確認した確認結果が誤操作であった場合（ステップＳ４２：Ｙｅｓ）、誤操作を報知する（ステップＳ４３）。誤操作の報知は、確認結果表示手段４２により確認結果表示部４３に表示するだけでもよいが（ステップＳ４４）、図には明示しないブザーや音声メッセージで行ってもよい。なお、誤操作とは、ここでは運転状態データＤ１の操作と設定された運転手順の操作とに相違があった場合である。
【００８２】
一方、操作確認手段４１により実プラント１１０の運転操作を確認した確認結果が誤操作でない場合（ステップＳ４２：Ｎｏ）、確認結果表示手段４２により確認結果表示部４３に確認結果を表示する（ステップＳ４４）。
【００８３】
このように、操作確認機能において、本実施形態のプラント運転支援装置１は、実プラント１１０の運転操作が運転手順に則しているかを確認する操作確認手段４１と、運転操作の確認結果を表示する確認結果表示手段４２と、を備える。
【００８４】
また、操作確認機能において、本実施形態のプラント運転支援方法は、実プラント１１０の運転操作が運転手順に則しているかを確認する操作確認工程と、運転操作の確認結果を表示する確認結果表示工程と、を含む。
【００８５】
これらによれば、実プラント１１０の運転手順が正確であるか否かを確認することが可能になる。
【符号の説明】
【００８６】
１  プラント運転支援装置
１１  運転状態監視手段
１２  仮想プラント作成手段
１３  運転状態予測手段
１４  基準データ記憶手段
１５  運転状態表示手段
１６  運転状態表示部
２１  運転状態診断手段
２２  診断データ記憶手段
２３  診断結果表示手段
２４  診断結果表示部
３１  運転手順設定手段
３２  運転手順データ記憶手段
３３  運転手順表示手段
３４  運転手順表示部
４１  操作確認手段
４２  確認結果表示手段
４３  確認結果表示部
１１０  原子力発電プラント（     実プラント）
２１０  仮想プラント
２１０’  予測仮想プラント
Ｄ１  運転状態データ
Ｄ２  基準データ
Ｄ３  診断データ
Ｄ４  運転手順データ
【図１】
2014106651.tif 000003
【図２】
2014106651.tif 000004
【図３】
2014106651.tif 000005
【図４】
2014106651.tif 000006
【図５】
2014106651.tif 000007
【図６】
2014106651.tif 000008
【図７】
2014106651.tif 000009
【図８】
2014106651.tif 000010